(57)【特許請求の範囲】
【請求項１】
建物開口部に取り付けられる引戸固定枠の上側に位置して、引戸の上部無目内を通るガイドレールを設け、該ガイドレールに沿って戸車を転動することで前記開口部を開閉する引戸を、その上側で吊持している構造の引戸の開閉装置において、
前記上部無目内に位置して引戸を自閉する駆動装置を引戸の上部に装着すると共に、前記駆動装置の引き付け用ワイヤーの端末を、前記ガイドレールに装備した戸先側の固定部に装着し、前記ガイドレールには、戸尻側に位置してストッパーが設けられ、前記引戸には、前記ストッパーに対向して、衝撃吸収用に弾性体からなる衝合子が、着脱自在に装着されており、前記ガイドレールの長手方向に沿って蟻溝条を形成し、前記ガイドレールに装備した戸先側の固定部を固定具により形成し、該固定具の摺動子を前記ガイドレールの蟻溝条に摺動可能に嵌挿し位置決め固定することを特徴とする引戸の開閉装置。
【請求項２】
建物開口部に取り付けられる引戸固定枠の上側に位置して、引戸の上部無目内を通るガイドレールを設け、該ガイドレールに沿って戸車を転動することで前記開口部を開閉する引戸を、その上側で吊持している構造の引戸の開閉装置において、
前記上部無目内に位置して引戸を自閉する駆動装置を引戸の上部に装着すると共に、前記駆動装置の引き付け用ワイヤーの端末を、前記ガイドレールに装備した戸先側の固定部に装着し、前記ガイドレールには、それと平行に進退する接触子を備えた緩衝装置が装備され、前記引戸には、前記接触子に対向して衝合子が設けられており、前記ガイドレールの長手方向に沿って蟻溝条を形成し、前記緩衝装置の摺動子を前記ガイドレールの蟻溝条に摺動可能に嵌挿し位置決め固定することを特徴とする引戸の開閉装置。
【請求項３】
建物開口部に取り付けられる引戸固定枠の上側に位置して、引戸の上部無目内を通るガイドレールを設け、該ガイドレールに沿って戸車を転動することで前記開口部を開閉する引戸を、その上側で吊持している構造の引戸の開閉装置において、
前記上部無目内に位置して引戸を自閉する駆動装置を引戸の上部に装着すると共に、前記駆動装置の引き付け用ワイヤーの端末を、前記ガイドレールに装備した戸先側の固定部に装着し、前記ガイドレールには、板バネからなるキャッチが装着され、前記引戸の頂部に装着された戸車ブラケットには、引戸を締めた位置において前記キャッチに係合するコロが取り付けられ、前記ガイドレールの長手方向に沿って蟻溝条を形成し、前記キャッチの摺動子を前記ガイドレールの蟻溝条に摺動可能に嵌挿し位置決め固定することを特徴とする引戸の開閉装置。
【発明の詳細な説明】
【０００１】
【発明の属する技術分野】
本発明は、建物開口部において、開放動作の後に自閉することができる上吊式引戸の開閉装置に関するものである。
【０００２】
【従来の技術】
従来、この種の上吊式引戸の開閉装置は、例えば、特公平３−２８５５７号公報に所載のように、建物開口部に取り付けられる引戸固定枠の上側に位置して、引戸の上部無目内を通るガイドレールを設け、該ガイドレールに沿って戸車を転動することで前記開口部を開閉する引戸を、その上側で吊持しており、前記上部無目内に位置して引戸を自閉する駆動装置を固定枠上部の戸先側に設けると共に、前記駆動装置の引き付け用ワイヤーの端末を、前記引戸側に装備した固定具に装着した構造になっている。
【０００３】
また、引戸の開放時に、戸尻側で、衝撃を緩衝するために、衝撃吸収用に弾性体からなる衝合子が、戸尻側の竪枠（固定枠）に着脱自在に装着されていて、引戸側のストッパーに衝合するようになっている。
【０００４】
【発明が解決しようとする課題】
このため、引き付け用ワイヤーの長さ調整などの際には、上部無目の正面に装着した内部点検用パネルを外して、引戸に対する固定具の取付位置調整、固定具に対する前記ワイヤーの着脱、長さ調整などを行わなければならず、作業が面倒である。特に、施工現場では、建物開口部に固定枠を取り付けた後、引戸を組み付けるので、取付誤差の関係から、固定枠に対する前記駆動装置の取付後に、ワイヤー長さの調整が必要になる。
【０００５】
また、前述の弾性体からなる衝合子は、その材質と、繰り返し衝撃を受ける使用態様との関係で、しばしば交換をよぎなくされるが、自閉式の引戸の開閉装置では、多くの場合、固定枠の戸尻側に戸袋を装備して、引戸を引き込む形に構成されているので、戸袋内で、前記衝合子の交換を行わなければならず、作業が面倒である。
【０００６】
本発明は、上記事情に基づいてなされたもので、引戸を自閉するための駆動装置の引き付け用のワイヤーの長さ調整などが容易に行えると共に、固定枠に対して引戸を取り付ける際に、前記駆動装置や前記ワイヤーの固定具の取付、その取付位置決めなどが容易に行える構造の引戸の開閉装置を提供しようとするものである。
【０００７】
【課題を解決するための手段】
このため、本発明では、図示の実施の形態でも明らかにしたように、建物開口部に取り付けられる引戸固定枠１の上側に位置して、引戸の上部無目２内を通るガイドレール３を設け、ガイドレール３に沿って戸車４を転動することで前記開口部を開閉する引戸５を、その上側で吊持している構造の引戸の開閉装置において、上部無目２内に位置して引戸５を自閉する駆動装置６を引戸５の上部若しくは戸先側の戸車ブラケット１０に設けると共に、駆動装置６の引き付け用ワイヤー７の端末を、戸先側の固定部に装着したことを特徴とする。
【０００８】
さらに、ガイドレール３には、戸尻側に位置してストッパー１３が設けられ、引戸５若しくは戸尻側の戸車ブラケット１０’には、ストッパー１３に対向して、衝撃吸収用に弾性体からなる衝合子１４が、着脱自在に装着されていることを特徴とする。
【０００９】
上記の固定部は、ガイドレール３に装備した固定具８とすることができる。尚、上記ワイヤー７の端末の固定は、上記ガイドレール３の適所でも、固定枠などでもよく、開閉する引戸以外の、固定されて動かない部分であればどこでもよい。
【００１０】
前記上部無目２内に位置して引戸５を自閉する駆動装置を、先端部に重錘を有するワイヤーの基端部を引戸に設けた戸先側の戸車ブラケット１０に固定し、該ワイヤーの先端側はガイドレールの戸先側に設けた案内部を介して垂下した構成とすることが出来る。
【００１１】
なお、駆動装置６は、引戸に設けた戸車ブラケット１０に装着することで、構造上の簡素化が達成でき、また、ガイドレール３に、それと平行に進退する接触子１１Ａを備えた緩衝装置１１を装備し、引戸５に、接触子１１Ａに対向して衝合子１２を設けることで、自閉の速度を緩和するように制御することができる。
【００１２】
従って、建物開口部に取り付けた固定枠１に対して引戸５を組み付ける場合に、引戸５を案内するガイドレール３を固定枠１に装着し、このガイドレール３に引戸５を吊持させた後、引き付け用のワイヤー７の固定具８をガイドレール３に対して、位置決めし、固定するから、予め、ガイドレール３と引戸５との相対位置関係、および、これらと駆動装置６、ワイヤー固定具８との取付位置決めなどが、正確に設定できる関係で、駆動装置６、固定具８の装着、ワイヤー７の長さ調整などが容易に達成できることになる。
【００１３】
また、駆動装置６側の引き付け力の低下（多くの場合、渦巻き形の板バネが採用されているが、長期間の繰り返し使用で、板バネの巻き戻しが緩んでくる）などで、ワイヤー７の長さ調整が必要になるが、ワイヤーの固定部は、例えば、戸先側に位置して、ガイドレール３に取り付けた固定具８とされる関係で、引戸５を開放した状態で、その取付位置調整などを容易に達成できる。更に、本発明では、引戸５側に弾性体よりなる衝合子１４を装備している関係で、その交換のための取付取り外しが容易である。
【００１４】
また、本発明では、前記ガイドレール３の長手方向に沿って蟻溝条３Ａを形成し、前記ガイドレール３に装備した戸先側の固定部を固定具８により形成し、該固定具８の摺動子１７を前記ガイドレール３の蟻溝条３Ａに摺動可能に嵌挿し位置決め固定することを特徴としている。
【００１５】
また、前記ガイドレール３には、それと平行に進退する接触子１１Ａを備えた緩衝装置１１が装備され、前記引戸５には、前記接触子１１Ａに対向して衝合子１２が設けられており、前記緩衝装置１１の摺動子１７を前記ガイドレール３の蟻溝条３Ａに摺動可能に嵌挿し位置決め固定することを特徴としている。
【００１６】
さらに、前記ガイドレール３には、板バネからなるキャッチ１５が装着され、前記引戸５の頂部に装着された戸車ブラケット１０には、引戸５を締めた位置において前記キャッチ１５に係合するコロ１６が取り付けられ、前記キャッチ１５の摺動子１７を前記ガイドレール３の蟻溝条３Ａに摺動可能に嵌挿し位置決め固定することを特徴としている。
【００１７】
【発明の実施の形態】
以下、本発明の実施の形態を図面を参照して、具体的に説明する。本発明の引戸の開閉装置は、基本的には、建物開口部（図示せず）に取り付けられる引戸固定枠１の上側に位置して、引戸の上部無目２内を通るガイドレール３を設け、ガイドレール３に沿って戸車４を転動することで前記開口部を開閉する引戸５を、その上側で吊持している構造である。
【００１８】
この引戸の開閉装置において、上部無目２内に位置して引戸５を自閉する駆動装置６は、そのハウジング６Ａ内に渦巻き形の板バネ（図示せず）を装着したもので、そのハウジング６Ａは、引戸５の上部に設けられている。特に、この実施の形態では、ハウジング６Ａが、引戸５の頂部にボルト９の手段で装着された戸車ブラケット１０、１０’の一方（この実施の形態では、戸先側の戸車ブラケット１０）に装着されていて、駆動装置６の引き付け用ワイヤー７（これはハウジング６Ａ内で、前記板バネの引出し端に連結されている）の端末が、戸先側でガイドレール３に装備した固定具８に装着されている。
【００１９】
なお、この実施の形態では、ガイドレール３に、それと平行に進退するロット状の接触子１１Ａを備えた緩衝装置１１（これは、接触子１１Ａの基端側をピストンに連設したエアシリンダ機構の構成になっていて、外部に対する空気の出入が、調整可能な絞り弁によって制限されるものである）を装備しており、また、引戸５側には、接触子１１Ａのコーン状先端に対向して、コーン状溝孔を有する衝合子１２が、その取付フレーム１２Ａを戸車ブラケット１０’にネジ止めした形で、設けられている。これによって、前記板バネの巻き戻しの際の引戸５の自閉の速度を緩和するように制御することができる。
【００２０】
また、本発明では、ガイドレール３には、戸尻側に位置してストッパー１３が設けられ、引戸５には、ストッパー１３に対向して、衝撃吸収用に弾性体からなる衝合子１４が、着脱自在に装着されている。なお、この実施の形態では、ボルト止めの手段でガイドレール３の端部に装着された固定具１３Ａに設けられており、また、衝合子１４はネジ等の取付具１４Ａで戸尻側の戸車ブラケット１０’に着脱自在に装着されている。衝合子１４は、ゴム質ブロック状のもの、コイルバネ状のもの等が使用できる。
【００２１】
また、この実施の形態では、板バネからなるキャッチ１５が、ガイドレール３に装着されており、また、戸車ブラケット１０には、引戸５を締めた位置においてキャッチ１５に係合するコロ１６が、支持部材１６Ａを介して、取り付けられている。
【００２２】
なお、この実施の形態では、固定具８、緩衝装置１１およびキャッチ１５を、ガイドレール３の長手方向に位置決めし、固定する際の便宜のために、ガイドレール３に、その長手方向に沿った蟻溝条３Ａを形成しており、ここに、固定具８、緩衝装置１１およびキャッチ１５にそれぞれ対応して、摺動子１７を摺動可能に嵌挿すると共に、固定具８の脚部８Ａ、緩衝装置１１の支持ブラケット１１Ｂ、および、キャッチ１５の取付部材１５Ａを、それぞれ、ネジ１８で摺動子１７に螺合している。そして、ネジ１８の締め付けで、ガイドレール３への固定具８、緩衝装置１１およびキャッチ１５の固定を、また、ネジ１８を緩めることで、摺動子１７を蟻溝条３Ａ内で摺動し、固定具８、緩衝装置１１およびキャッチ１５の位置決めを簡単に行える工夫をしている。
【００２３】
従って、建物開口部に取り付けた固定枠１に対して引戸５を組み付ける場合に、上部目無２の正面の点検用パネル２Ａを外し、引戸５を案内するガイドレール３を、上部無目２内に位置して、固定枠１に装着し、ガイドレール３に戸車４を搭載して、引戸５を吊持させる。その後、引き付け用のワイヤー７の固定具８をガイドレール３に対して、位置決めし、固定する。従って、予め、ガイドレール３と引戸５との相対位置関係、および、これらと駆動装置６、ワイヤー固定具８との取付位置決めなどが、正確に設定できる関係で、駆動装置６、固定具８の装着、ワイヤー７の長さ調整などが容易に達成できることになる。
【００２４】
また、駆動装置６側の引き付け力の低下（多くの場合、渦巻き形の板バネが採用されているが、長期間の繰り返し使用で、板バネの巻き戻しが緩んでくる）などで、ワイヤー７の長さ調整が必要になるが、ワイヤー固定具８は、戸先側に位置して、ガイドレール３に取り付けられる関係で、引戸５を開放した状態で、その取付位置調整などを容易に達成できる。また、この実施の形態では、引戸５側に弾性体よりなる衝合子１４を装備している関係で、その交換のための取付取り外しが容易である。
【００２５】
他の実施の形態として、引戸自閉作動用の駆動装置を重錘構造を用いて構成することができる。この重錘構造では、先端部に重錘を有するワイヤーの基端部を引戸に設けた戸先側の戸車ブラケットに固定し、該ワイヤーの先端側は、ガイドレールの戸先側に設けた滑車等の案内部を介して垂下している。この実施の形態では、開放位置（戸袋内）にある引戸を閉鎖方向に移動させると、重錘がワイヤーを介して引戸を閉鎖方向に移動させる。
【００２６】
【発明の効果】
本発明は、以上詳述したようになり、建物開口部に取り付けられる引戸固定枠の上側に位置して、引戸の上部無目内を通るガイドレールを設け、該ガイドレールに沿って戸車を転動することで前記開口部を開閉する引戸を、その上側で吊持している構造の上吊式引戸の開閉装置において、前記上部無目内に位置して引戸を自閉する駆動装置を引戸上部に設けると共に前記駆動装置の引き付け用ワイヤーの端末を、戸先側で前記ガイドレールに装備した固定具に装着している。従って、引戸を自閉するための駆動装置の引き付け用のワイヤーの長さ調整などが容易に行えると共に、固定枠に対して引戸を取り付ける際に、前記駆動装置や前記ワイヤーの固定具の取付、その取付位置決めなどが容易に行える効果がある。このような効果は、上記重錘構造の駆動装置を用いた場合も同様である。
【００２７】
更に、本発明では、前記ガイドレールには、戸尻側に位置してストッパーが設けられ、前記引戸には、前記ストッパーに対向して、衝撃吸収用に弾性体からなるゴム質ブッロク等よりなる衝合子が、着脱自在に装着されているので、消耗の激しい前記衝合子の交換が容易に行える効果がある。
【００２８】
更に、本発明では、前記ガイドレールに蟻溝条を形成し、この蟻溝条に、駆動装置の引き付け用ワイヤー端末の固定具の摺動子、緩衝装置の摺動子、或いはキャッチの摺動子を摺動可能に嵌挿し位置決め固定しているので、固定具、緩衝装置、或いはキャッチの位置決めを簡単に行なうことができる。
【図面の簡単な説明】
【図１】本発明の実施の形態の概略正面図である。
【図２】同じく、要部を示す戸開き状態の拡大正面図である。
【図３】同じく、要部を示す戸閉め状態の拡大正面図である。
【図４】同じく、駆動装置、緩衝装置の取付状態を示す端面図である。
【図５】同じく、緩衝装置に対向する衝合子、キャッチの取付状態を示す端面図である。
【図６】同じく、ワイヤー固定具の取付状態を示す端面図である。
【図７】同じく、キャッチに対応するコロの取付状態を示す端面図である。
【符号の説明】
１    引戸固定枠
２    上部無目
３    ガイドレール
３Ａ    蟻溝条
４    戸車
５    引戸
６    駆動装置
６Ａ    ハウジング
７    ワイヤー
８    固定具
８Ａ    脚部
９    ボルト
１０、１０’    戸車ブラケット
１１    緩衝装置
１１Ａ    接触子
１１Ｂ    支持ブラケット
１２    衝合子
１２Ａ    取付フレーム
１３    ストッパー
１３Ａ    固定具
１４    衝合子
１４Ａ    取付具
１５    キャッチ
１５Ａ    取付部材
１６    コロ
１６Ａ    支持部材
１７    摺動子
１８    ネジ
【図１】
0003561503.tif 000002
【図２】
0003561503.tif 000003
【図３】
0003561503.tif 000004
【図４】
0003561503.tif 000005
【図５】
0003561503.tif 000006
【図６】
0003561503.tif 000007
【図７】
0003561503.tif 000008